(57)【要約】【課題】金銭やパスポート等を入れる貴重品入れの形状は、単に貴重品を入れるものに留まり、遊泳時やマリンスポーツ、ウィンタースポーツの際、濡れてしまい、身につけておくことができなかった。また、海外旅行等へ出かけたときにはスリに遭う危険性があった。また、従来のファスナーの形状は留め具が交互に嵌め込まれるもので、その留め具の間には隙間ができてしまい、防水することができなかった。【解決手段】防水素材でできた貴重品入れ本体Aに長さ調節のできるホルダーBを設け、本体Aの閉口部に完全防水のファスナーDをとりつける。完全防水のファスナーDは例えば、縦状の凹凸（D-2、D-2´、D-3、D-3´）がぴったりとはまり込む留め具（D-1、D-1´）を複数設けたことを特徴とする。【選択図】図１
2005218742.tif 000002
【特許請求の範囲】
【請求項１】
防水加工を施した貴重品入れに、ホルダーを設けたことを特徴とする貴重品入れ。
【請求項２】
前記防水加工は、塩化ビニールなどの防水性の素材でできた貴重品入れの開閉口に、それぞれ向かい合う凹凸(D-2、D-2´、D-3、D-3´)が、個々にぴったりとはまり込むシリコン素材等でできた留め具(D-1、D-1´）を設け、隣接する個々の留め具は、隙間ができないよう底部を接着した防水ファスナーを設けたことを特徴とする請求項１記載の貴重品入れ。
【請求項３】
前記留め具は、ぴったりとはまり込んだ凹凸が外れないように、各々の留め具に設けられた突起(D-4、D-5)が、それに対応するへこみ(D-4´、D-5´)にはまる構造になっており、頭部外側に設けられた窪み(D-6、D-6´)をスライドすることにより個々の留め具の着脱をする開閉具(D-8)を設けたことを特徴とする防水ファスナー。
【請求項４】
前記開閉具の内側前方には、留め具の頭部内側に設けられた溝(D-7、D-7´)に入って留め具を引き離すための逆三角形の出っ張り(D-10)が設けられており、開閉具底部は左右に離れた留め具を引き付け、くっつけるためのすそ広がりの引っ掛け(D-9)が設けられていることを特徴とする請求項３記載の防水ファスナー。
【発明の詳細な説明】
【技術分野】
【０００１】
この発明は、腕に巻きつけるホルダーを設けた防水貴重品入れ、及び、それに用いる防水ファスナーに関するものである。
【背景技術】
【０００２】
従来の金銭、パスポート等を入れる貴重品入れは、完全な防水性はなく、肩から掛けるものであったり、かばんやポケットに入れるものであった。また、従来のファスナーは図７に示すように、左右の留め具（T）を交互に嵌め込むものであった。
【特許文献１】特開平08-010022号公報
【特許文献２】特開平10-033237号公報
【特許文献３】特開 2002-291503号公報
【発明の開示】
【発明が解決しようとする課題】
【０００３】
しかしながら、以上の技術によれば、運動をするとき、特に遊泳時や、マリンスポーツ、ウィンタースポーツをする際、貴重品を身につけておくことができないため、置き引きや車上荒し等の被害に遭う危険性があった。また、ポケットやかばんに貴重品を入れておくと海外旅行等に出かけたときにはスリに遭う危険性があった。
【０００４】
従来、スキーのリフト券入れに腕に巻くホルダータイプのものはあったが、ホルダーの部分はゴム製で、スキーを滑っている際ずり落ちることが多々あった。更にそれはスキーウェアーの上に身につけることを目的としたもので、身体に直接フィットする構造ではない。また、そのリフト券入れにも完全な防水性はなく、雪が入って、中に入れて置いたリフト券や紙幣が濡れてグシャグシャになってしまうことがあった。
【０００５】
従来のファスナーは、交互に嵌め込んだ留め具の間にはわずかな隙間があり、水や空気を遮断することができず、また、口を閉じたときに留め具（T）が表出するため、外観的にその分無駄があった。
【０００６】
そこで、この発明は、以上のような欠点をなくす貴重品入れ、及びファスナーを提供することを課題とする。
【課題を解決するための手段】
【０００７】
以上の課題を解決するために、第一発明は、防水加工を施した貴重品入れに、ホルダーを設けたことを特徴とする貴重品入れである。
【０００８】
また、第二発明は、貴重品入れを防水加工したものであり、その防水加工は塩化ビニールなどの防水性の素材でできた貴重品入れの開閉口に、それぞれ向かい合う凹凸(D-2、D-2´、D-3、D-3´)が、個々にぴったりとはまり込むシリコン素材等でできた留め具(D-1、D-1´）を設け、隣接する個々の留め具は、隙間ができないよう底部を接着した防水ファスナーを設けたことを特徴とする貴重品入れである。
【０００９】
また、第三発明は、ぴったりとはまり込んだ凹凸が外れないように、各々の留め具に設けられた突起(D-4、D-5)が、それに対応するへこみ(D-4´、D-5´)にはまる構造になっており、頭部外側に設けられた窪み(D-6、D-6´)をスライドすることにより個々の留め具の着脱をする開閉具(D-8)を設けたことを特徴とする防水ファスナーである。
【００１０】
また、第四発明は、ファスナーの開閉具の内側前方に、開閉具を後方へ引くと、留め具の頭部内側に設けられた溝(D-7、D-7´)に入って留め具を引き離すための逆三角形の出っ張り(D-10)が設けられており、開閉具底部は左右に離れた留め具を引き付け、くっつけるためのすそ広がりの引っ掛け(D-9)が設けられていることを特徴とする防水ファスナーである。
【発明の効果】
【００１１】
貴重品入れにホルダーを設けたことにより、ジョギング等の運動をするときに貴重品が邪魔にならず、洋服の下に身につければスリの被害も防ぐことができる。また、防水処置を施したので遊泳時やマリンスポーツ、ウィンタースポーツの際でも、貴重品を常に身につけておくことができる。
更に本発明の防水ファスナーは、留め具の頭部の部分だけが表出することになるので、ファスナーの外観がシンプルになる。また、このファスナーをかばんや衣類に応用することで、それぞれの防水、防風を助ける役割を果たすことができる。
【発明を実施するための最良の形態】
【００１２】
以下、本発明の一実施形態について説明する。
図１より、本体AはPVC等の防水素材でできており、その表面はナイロン素材等の撥水性のある生地で覆われている。この本体Aの背面には、ラバー素材等でできた長さ調節可能な腕に巻くためのホルダーBが設けられており、本体Aの背面内部には、クッションEが設けられている。また、本体Aの前面にはリフト券を入れることのできる透明のポケットを設ける。各々の面の皮膚に触れる部分はウェットスーツの素材を用いる。
【００１３】
防水素材でできた内袋Cは本体Aとボタンで取り付けられており、本体Aから取り外すことが可能となる。また、内袋Cは二つ折りになっており、本体から取り出して広げると図２のようになる。
【００１４】
図２より、内袋Cはポケットが３つ設けられており、例えばC−1はパスポートや携帯電話、時計等を入れる小物入れに、C−2は札入れに、C-3は小銭入れになる。また、札入れには札を挟むためのバンドを設け、小銭入れにはメッシュポケット等を設ける。
【００１５】
また、内袋Cの折りたたむ面C-4にはC-7のようにキーホルダーを設け、C-4とC-5の面にはマジックテープC-8を設ける。そして外側の面C-6には本体に取り付けるためのボタンC-9を設ける。
【００１６】
図３より、完全防水ファスナーDの留め具D-1及びD-1´に、互いを嵌め合わせたときに各々の窪みD-2、D-3に各々の出っ張りD-2´、D-3´がぴったりと嵌まるように凹凸を設ける。また、それらの凹凸を嵌めた合わせたとき、留め具がカチッと閉まるようそれぞれに突起D-4、D-5と、へこみD-4´、D-5´を設ける。
【００１７】
留め具D-1、D-1´を嵌め込み、また、引き離すときに用いる開閉具D-8に、D-1、D-1´それぞれの頭部の外側に設けられた溝D-6、D-6´に嵌まるようD-9を設ける。また、嵌め合わされた留め具を引き離すために、開閉具D-8に設けられた出っ張りD-10の先端が入るように留め具頭部の内側に各々溝D-7、D-7´を設ける。
そして、個々の留め具を組み合わせると図４のように完全防水ファスナーDが出来上がり、開閉具を矢印X方向へ引くとファスナーが閉じ、矢印Y方向へ引くとファスナーが開く。
【００１８】
「実施形態の効果」
この実施形態によれば、防水素材でできた本体Aの表面をナイロン素材等の撥水性のある生地で覆うことによりファッション性にも幅がでる。また、背面側にとりつけられたクッションと、皮膚に触れる部分にはウェットスーツの素材を用いることにより、本体Aを腕に巻いた時、よりフィット感がある。
【００１９】
内袋Cを本体から取り外すことを可能にし、二つ折りにすることで貴重品入れの中の物が取り出しやすくなる。内袋を取り外すことで、内袋の代わりに財布等を入れることもできる。札入れにバンドを設けることで、札が折り畳みやすく入れ易い。また、C-4とC-5の面にマジックテープを設けることで内袋が折り畳み易くなり、内袋を本体に入れ易くなる。
【００２０】
防水ファスナーDの開閉具に設けられた出っ張りD-10を三角形にすることで、開閉具を手前に引くことによりその先端が留め具の窪みD-7に入り、その三角形の底辺にさしかかるにつれてカチッと嵌まっていたそれぞれの突起D-4、D-5が外れ、留め具が引き離される仕組みになっている。また、D-9をすそ広がりにすることで、ファスナーを閉めるとき、開いて離れている左右の留め具をD-9の広がり部分で集め、狭まった部分を通ることで、留め具がカチッとくっつくようになる。
【００２１】
「他の実施形態」
図１の実施形態では、ホルダーは腕に巻きつけるものであったが、他の実施形態では、ホルダーは足に巻きつけるタイプのものでも良い。
図３の実施形態では、留め具の頭部は四角いものであったが、他の実施形態では、図５のD-aのように、留め具の頭部は球状、またその他いかなる形状でもよい。
また、図３の実施形態では、留め具のD-4、D-5が突起であり、D-4´、D-5´がへこみであったが、他の実施形態では、それぞれ逆でも良いし、図５のD-bのように、留め具の凸部分に突起を設け、その突起を留め具の凹部分に設けたへこみに嵌め込むようにしても良い。
【図面の簡単な説明】
【００２２】
【図１】この発明の一実施形態を示す斜視図である。
【図２】内袋Cを示す斜視図である。
【図３】完全防水ファスナーDの留め具、及び開閉具を示す斜視図である。
【図４】完全防水ファスナーDの完成図を示す斜視図である。
【図５】留め具の他の実施形態を示す斜視図である。
【図６】ファスナーの従来技術を示す斜視図である。
【符号の説明】
【００２３】
A：貴重品入れ本体  B：ホルダー  C：内袋  D：完全防水ファスナー
E：クッション  C-1：小物入れ  C-2：札入れ  C-3：小銭入れ
C-4、C-5、C-6：内袋の面  C-7：キーホルダー  C-8：マジックテープ
C-9：ボタン  D-1、D-1´：留め具  D-2、D-3：窪み  
D-2´、D-3´：出っ張り  D-4、D-5：突起  D-4´、D-5´：へこみ  
D-6、D-6´：留め具頭部外側の溝  
D-7、D-7´：留め具頭部内側の溝  
D-8：開閉具  D-9：引っ掛け  D-10：逆三角形の出っ張り  
D-a：球状の留め具頭部  D-b：凸部に設けられた突起
T：従来のファスナーの留め具
【図１】
2005218742.tif 000003
【図２】
2005218742.tif 000004
【図３】
2005218742.tif 000005
【図４】
2005218742.tif 000006
【図５】
2005218742.tif 000007
【図６】
2005218742.tif 000008